(57)【要約】 【課題】  新たな動作ユニットが付加される場合でも容易かつ迅速に動作ユニットの動作条件を設定することができる設定装置、動作装置、設定方法、設定プログラムおよび設定プログラムを記録した記録媒体を提供する。【解決手段】  制御部１は、識別情報の送信要求をプリンタエンジン２に送信するとともに、プリンタエンジン２から送信される識別情報を受信する。したがってプリンタエンジン２に新たな動作ユニットが付加される場合でも、動作条件を設定操作する操作者は、従来技術のように新たな動作ユニットの識別情報を制御部１のＥＥＰＲＯＭ１４に記憶させる作業をする必要がない。これによって操作者は、プリンタエンジン２から受信した識別情報に基づいて、新たな動作ユニットの動作条件を容易かつ迅速に設定することができる。【選択図】      図１
2006113361.tif 000002
【特許請求の範囲】
【請求項１】
複数の動作ユニットの動作条件を設定する設定装置であって、
複数の動作ユニットを有する動作装置の動作ユニットを識別する識別情報を記憶する識別情報記憶手段と、
動作ユニットの動作条件を入力する動作条件入力手段と、
識別情報の送信要求を動作装置に送信する識別情報要求送信手段と、
識別情報要求送信手段によって送信される前記識別情報の送信要求に応答して動作装置から送信される前記識別情報を受信する識別情報受信手段と、
識別情報と、動作条件入力手段によって入力される動作条件を表す動作条件情報とを関連付けた設定情報を動作装置に送信する設定情報送信手段と、
識別情報の送信要求を動作装置に送信するように識別情報要求送信手段を制御し、動作装置から送信される識別情報を受信するように識別情報受信手段を制御し、設定情報を動作装置に送信するように設定情報送信手段を制御する制御手段とを含むことを特徴とする設定装置。
【請求項２】
動作ユニットの動作条件を設定する指令を入力する設定指令入力手段をさらに含み、
制御手段は、設定指令入力手段によって動作ユニットの動作条件を設定する指令が入力されたとき、識別情報の送信要求を動作装置に送信するように識別情報要求送信手段を制御し、動作装置から送信される識別情報を受信するように識別情報受信手段を制御し、設定情報を動作装置に送信するように設定情報送信手段を制御することを特徴とする請求項１記載の設定装置。
【請求項３】
請求項１または２記載の設定装置とともに用いられ、設定装置で設定される動作条件に基づいて動作する複数の動作ユニットを有する動作装置であって、
新たな動作ユニットが付加されたことを検出する検出手段と、
検出手段によって新たな動作ユニットが付加されたことが検出された場合、新たな動作ユニットが付加されたことを表す付加ユニット情報を設定装置に送信する付加ユニット情報送信手段と、
付加ユニット情報送信手段によって設定装置に送信される付加ユニット情報に応答して前記設定装置から送信される設定情報を受信する設定情報受信手段とを含むことを特徴とする動作装置。
【請求項４】
複数の動作ユニットの動作条件を設定する設定方法であって、
識別情報の送信要求を動作装置に送信し、前記識別情報の送信要求に応答して動作装置から送信される前記識別情報を受信し、識別情報と、動作条件入力部に入力される動作条件を表す動作条件情報とを関連付けた設定情報を動作装置に送信することを特徴とする設定方法。
【請求項５】
コンピュータを、請求項１または２記載の設定装置として機能させることを特徴とする設定プログラム。
【請求項６】
請求項５記載の設定プログラムを記録したコンピュータ読取り可能な記録媒体。
【発明の詳細な説明】
【技術分野】
【０００１】
本発明は、動作ユニットの動作条件を設定するときに好適に用いられる設定装置、動作装置、設定方法、設定プログラムおよび設定プログラムを記録した記録媒体に関する。
【背景技術】
【０００２】
複写機およびプリンタの機能を備える従来の技術の複合機は、記録紙に画像を印刷するプリンタユニットと、プリンタユニットを構成するモータなどの動作ユニットを動作させるための動作条件を設定する設定装置とを含んで構成される。設定装置には、プリンタユニットを構成する各動作ユニットの動作条件を設定変更するときに実行される動作条件変更プログラム（以下、単に「動作変更プログラム」と表記する場合がある）と、各動作ユニットを識別する識別情報とが記憶される。設定装置では、動作変更プログラムを実行して各動作ユニットの動作条件を設定し、設定した動作条件をプリンタユニットに与える。複合機に新たな動作ユニットが付加された場合は、新たに付加された動作ユニットの動作条件を設定するために、動作条件の設定操作を行う操作者（以下、単に「操作者」と表記する場合がある）が、新たに付加された動作ユニットの識別情報を設定装置に記憶する作業を行い、その後に、動作変更プログラムを実行して各動作ユニットの動作条件の設定操作を行う。設定装置は、操作者によって設定された動作条件を表す動作条件データをプリンタユニットに送信する。プリンタユニットでは、設定装置から送信された動作条件データを受信し、受信した動作条件データが表す動作条件に基づいて新たに付加された動作ユニットを動作する。
【０００３】
特許文献１に記載の画像処理装置は、プロセスコントローラを有するプロセス制御部およびネットコントローラを有するネットワーク制御部を備える。プロセスコントローラは、ネットコントローラとＣＯＭ（communication）ポートとを介して、プロセス制御部における動作状況を示すステータスコマンドをネットワーク制御部に送信する。ネットコントローラは、プロセスコントローラとＣＯＭポートとを介して、プロセス制御部から送信されるステータスコマンドを受信し、このステータスコマンドに基づいて制御対象とする各部の動作を制御する制御コマンドまたは指示コマンドをプロセス制御部に送信する。プロセス制御部は、ネットワーク制御部から送信される制御コマンドまたは指示コマンドを受信し、受信した制御コマンドまたは指示コマンドに基づいて制御対象とするプリンタなどの動作を制御する。
【０００４】
【特許文献１】特開２００３−２７４０９９号公報
【発明の開示】
【発明が解決しようとする課題】
【０００５】
前述の従来の技術の複合機の設定装置には、動作変更プログラムと、各動作ユニットを識別する識別情報とが記憶されているけれども、プリンタユニットに新たな動作ユニットが付加されるたびに、操作者は、新たに付加される動作ユニットの識別情報を設定装置に新たに記憶させる作業を行わなければならない。したがって操作者にとって大きな負担になり、新たに付加される動作ユニットの動作条件を設定する操作を迅速に行うことができないという問題がある。
【０００６】
本発明の目的は、新たな動作ユニットが付加される場合でも容易かつ迅速に動作ユニットの動作条件を設定することができる設定装置、動作装置、設定方法、設定プログラムおよび設定プログラムを記録した記録媒体を提供することである。
【課題を解決するための手段】
【０００７】
本発明は、複数の動作ユニットの動作条件を設定する設定装置であって、
複数の動作ユニットを有する動作装置の動作ユニットを識別する識別情報を記憶する識別情報記憶手段と、
動作ユニットの動作条件を入力する動作条件入力手段と、
識別情報の送信要求を動作装置に送信する識別情報要求送信手段と、
識別情報要求送信手段によって送信される前記識別情報の送信要求に応答して動作装置から送信される前記識別情報を受信する識別情報受信手段と、
識別情報と、動作条件入力手段によって入力される動作条件を表す動作条件情報とを関連付けた設定情報を動作装置に送信する設定情報送信手段と、
識別情報の送信要求を動作装置に送信するように識別情報要求送信手段を制御し、動作装置から送信される識別情報を受信するように識別情報受信手段を制御し、設定情報を動作装置に送信するように設定情報送信手段を制御する制御手段とを含むことを特徴とする設定装置である。
【０００８】
本発明に従えば、識別情報記憶手段には、動作装置に付加されている動作ユニットを識別する識別情報が記憶される。動作条件入力手段には、動作ユニットの動作条件が入力される。識別情報要求送信手段は、識別情報の送信要求を動作装置に送信するように、制御手段によって制御される。識別情報受信手段は、送信した識別情報の送信要求に応答して動作装置から送信される識別情報を受信するように、制御手段によって制御される。設定情報送信手段は、識別情報と動作条件入力手段によって入力される動作条件を表す動作条件情報とを関連付けた設定情報を動作装置に送信するように、制御手段によって制御される。したがって動作装置に新たな動作ユニットが付加される場合でも、動作ユニットの動作条件を設定操作する操作者（以下、単に「操作者」と表記する場合がある）は、従来技術のように新たな動作ユニットの識別情報を設定装置に記憶させる作業をする必要がない。これによって操作者は、動作装置から受信した識別情報に基づいて、新たな動作ユニットの動作条件を容易かつ迅速に設定することができる。したがって動作装置に新たな動作ユニットが付加される場合でも、動作装置による所定の動作を比較的速やかに実行させることができ、動作装置の利用者に対する利便性を向上することができる。
【０００９】
また本発明は、動作ユニットの動作条件を設定する指令を入力する設定指令入力手段をさらに含み、
制御手段は、設定指令入力手段によって動作ユニットの動作条件を設定する指令が入力されたとき、識別情報の送信要求を動作装置に送信するように識別情報要求送信手段を制御し、動作装置から送信される識別情報を受信するように識別情報受信手段を制御し、設定情報を動作装置に送信するように設定情報送信手段を制御することを特徴とする。
【００１０】
本発明に従えば、設定指令入力手段には、動作ユニットの動作条件を設定する指令が入力される。設定指令入力手段によって動作ユニットの動作条件を設定する指令が入力されたとき、識別情報要求送信手段によって、識別情報の送信要求を動作装置に送信し、送信した識別情報の送信要求に応答して動作装置から送信される識別情報を識別情報受信手段によって受信する。さらに、設定情報送信手段によって、識別情報と動作条件情報とを関連付けた設定情報を動作装置に送信する。このように、設定指令入力手段によって動作ユニットの動作条件を設定する指令が入力されたとき、換言すれば操作者が動作ユニットの動作条件を設定するときにだけ、設定装置および動作装置間で通信動作をするので、動作ユニットの動作条件を設定する指令が入力されていない場合に、設定装置および動作装置間で不要な通信動作をすることを防ぐことができる。これによって動作ユニットの動作条件を設定する指令が入力されていない場合の設定装置および動作装置間における通信動作によって生じる設定装置および動作装置の電力の消費を抑制することができる。
【００１１】
また本発明は、前記設定装置とともに用いられ、設定装置で設定される動作条件に基づいて動作する複数の動作ユニットを有する動作装置であって、
新たな動作ユニットが付加されたことを検出する検出手段と、
検出手段によって新たな動作ユニットが付加されたことが検出された場合、新たな動作ユニットが付加されたことを表す付加ユニット情報を設定装置に送信する付加ユニット情報送信手段と、
付加ユニット情報送信手段によって設定装置に送信される付加ユニット情報に応答して前記設定装置から送信される設定情報を受信する設定情報受信手段とを含むことを特徴とする動作装置である。
【００１２】
本発明に従えば、検出手段は、新たな動作ユニットが付加されたことを検出する。検出手段によって新たな動作ユニットが付加されたことが検出された場合、付加ユニット情報送信手段は、新たな動作ユニットが付加されたことを表す付加ユニット情報を設定装置に送信する。設定情報受信手段は、付加ユニット情報送信手段によって設定装置に送信される付加ユニット情報に応答して前記設定装置から送信される設定情報を受信する。したがって動作装置に新たな動作ユニットが付加される場合でも、設定情報に基づいて動作装置の動作を比較的速やかに実行させることができ、動作装置の利用者に対する利便性を向上することができる。
【００１３】
また本発明は、複数の動作ユニットの動作条件を設定する設定方法であって、
識別情報の送信要求を動作装置に送信し、前記識別情報の送信要求に応答して動作装置から送信される前記識別情報を受信し、識別情報と、動作条件入力部に入力される動作条件を表す動作条件情報とを関連付けた設定情報を動作装置に送信することを特徴とする設定方法である。
【００１４】
本発明に従えば、識別情報の送信要求を動作装置に送信し、前記識別情報の送信要求に応答して動作装置から送信される識別情報を受信する。また識別情報と、動作条件入力部に入力される動作条件を表す動作条件情報とを関連付けた設定情報を動作装置に送信する。したがって動作装置に新たな動作ユニットが付加される場合でも、動作ユニットの動作条件を設定操作する操作者は、従来技術のように新たな動作ユニットの識別情報を設定装置に記憶させる作業をする必要がない。これによって操作者は、動作装置から受信した識別情報に基づいて、新たな動作ユニットの動作条件を容易かつ迅速に設定することができる。したがって動作装置に新たな動作ユニットが付加される場合でも、動作装置による所定の動作を比較的速やかに実行させることができ、動作装置の利用者に対する利便性を向上することができる。
【００１５】
また本発明は、コンピュータを、前記設定装置として機能させることを特徴とする設定プログラムである。
【００１６】
本発明に従えば、設定プログラムはコンピュータによって実行される。汎用的なコンピュータを用いて設定プログラムを実行することによって、動作装置に新たな動作ユニットが付加される場合でも、操作者は受信した識別情報に基づいて、新たに付加された動作ユニットの動作条件を設定する操作を容易かつ迅速に行うことができる。これによって動作装置に新たな動作ユニットが付加される場合でも、動作装置による所定の動作を比較的速やかに実行させることができ、動作装置の利用者に対する利便性を向上することができる。
【００１７】
また本発明は、前記設定プログラムを記録したコンピュータ読取り可能な記録媒体である。
【００１８】
本発明に従えば、設定プログラムを、コンピュータによって読取り可能な記録媒体に記録させる。たとえば、フレキシブルディスクなどの持ち運び可能な記録媒体に設計支援プログラムを記録させることによって、設定プログラムを記録媒体から所望のコンピュータに容易に読込ませることができるとともに、記録媒体からコンピュータに設定プログラムを読込ませて、前記の設定方法をコンピュータに実行させることができる。
【発明の効果】
【００１９】
本発明によれば、動作ユニットの動作条件を設定操作する操作者は、従来技術のように新たな動作ユニットの識別情報を設定装置に記憶させる作業をする必要がない。これによって操作者は、動作装置から受信した識別情報に基づいて、新たな動作ユニットの動作条件を容易かつ迅速に設定することができる。したがって動作装置に新たな動作ユニットが付加される場合でも、動作装置による所定の動作を比較的速やかに実行させることができ、動作装置の利用者に対する利便性を向上することができる。
【００２０】
また本発明によれば、動作ユニットの動作条件を設定する指令が入力されていない場合の設定装置および動作装置間における通信動作によって生じる設定装置および動作装置の電力の消費を抑制することができる。
【００２１】
また本発明によれば、付加ユニット情報送信手段によって付加ユニット情報が設定装置に送信され、前記付加ユニット情報に応答して設定装置から送信される設定情報が設定情報受信手段によって受信されるので、動作装置に新たな動作ユニットが付加される場合でも、設定情報に基づいて動作装置の動作を比較的速やかに実行させることができ、動作装置の利用者に対する利便性を向上することができる。
【００２２】
また本発明によれば、汎用的なコンピュータを用いて設定プログラムを実行することによって、動作装置に新たな動作ユニットが付加される場合でも、操作者は受信した識別情報に基づいて、新たに付加された動作ユニットの動作条件を設定する操作を容易かつ迅速に行うことができる。これによって動作装置に新たな動作ユニットが付加される場合でも、動作装置による所定の動作を比較的速やかに実行させることができ、動作装置の利用者に対する利便性を向上することができる。
【００２３】
また本発明によれば、設定プログラムを、コンピュータによって読取り可能な記録媒体に記録させることによって、設定プログラムを記録媒体から所望のコンピュータに容易に読込ませることができるとともに、記録媒体からコンピュータに設定プログラムを読込ませて、前記の設定方法をコンピュータに実行させることができる。
【発明を実施するための最良の形態】
【００２４】
図１は、本発明の実施の一形態である制御部１、プリンタエンジン２およびスキャナエンジン３を含む複合機１０の構成を簡略化して示すブロック図である。図２は、制御部１、プリンタエンジン２およびスキャナエンジン３の構成を示すブロック図である。複合機１０は、たとえば複写機、プリンタ装置およびファクシミリ装置の機能を統合した装置である。複合機１０は、制御部１、プリンタエンジン２、スキャナエンジン３、パネルユニット４、第１オプションユニット５および第２オプションユニット６を含んで構成される。本実施の形態において、制御部１は設定装置に相当し、プリンタエンジン２およびスキャナエンジン３は動作装置に相当する。制御部１は、中央演算処理装置（Central
Processing Unit；略称：ＣＰＵ）１１、ランダムアクセスメモリ（Random Access
Memory；略称：ＲＡＭ）１２、リードオンリーメモリ（Read Only Memory；略称：ＲＯＭ）１３、イーイーピーＲＯＭ（Electronically Erasable and Programmable Read Only Memory；略称：ＥＥＰＲＯＭ）１４、プリンタエンジン用インターフェイス（以下、「プリンタ用Ｉ／Ｆ」と表記する場合がある）１５、スキャナエンジン用インターフェイス（以下、「スキャナ用Ｉ／Ｆ」と表記する場合がある）１６およびパネルユニット用インターフェイス（以下、「パネル用Ｉ／Ｆ」と表記する場合がある）１７を含む。ＣＰＵ１１は、制御部１を構成する上記のＲＡＭ１２、ＲＯＭ１３、ＥＥＰＲＯＭ１４、プリンタ用Ｉ／Ｆ１５、スキャナ用Ｉ／Ｆ１６およびパネル用Ｉ／Ｆ１７を含むハードウェア資源を制御する。
【００２５】
ＲＡＭ１２には、後述する動作条件変更プログラムを実行して、動作条件の設定変更を行っているときの情報が一時的に記憶される。ＲＯＭ１３には、たとえばプリンタエンジン２およびスキャナエンジン３を構成する各動作ユニットの動作条件を変更する場合に用いられる動作条件変更プログラム（以下、「動作変更プログラム」と表記する場合がある）が記憶される。ＥＥＰＲＯＭ１４には、プリンタエンジン２およびスキャナエンジン３などから送信される動作ユニットを識別する識別情報、たとえば動作ユニット名が記憶される。プリンタ用Ｉ／Ｆ１５は、プリンタエンジン２との接続部であり、プリンタエンジン２とシリアル通信によって情報通信を行うために、プリンタエンジン２に送信する情報に対して、プリンタエンジン２で読取り可能な情報への変換処理を施す。スキャナ用Ｉ／Ｆ１６は、スキャナエンジン３との接続部であり、スキャナエンジン３とシリアル通信によって情報通信を行うために、スキャナエンジン３に送信する情報に対して、スキャナエンジン３で読取り可能な情報への変換処理を施す。パネル用Ｉ／Ｆ１７は、パネルユニット４との接続部であり、パネルユニット４と情報通信を行うために、パネルユニット４に送信する情報に対して、パネルユニット４で読取り可能な情報への変換処理を施す。パネルユニット４は、タッチパネル、液晶ディスプレイ（略称：ＬＣＤ）、カーソルキー、数値キー、確認キーおよび実行キーを含む。タッチパネルは、ＬＣＤの表面に形成される。タッチパネルは、たとえば透明な抵抗膜であり、接触圧で抵抗値が低下することによって、位置検出を行う。またパネルユニット４には、操作者に対してタッチパネルのいずれの部分に接触すべきかを案内するために操作用画像が表示される。
【００２６】
プリンタエンジン２は、後述する設定情報が制御部１から送信されると、この設定情報に基づいて、プリンタエンジン２に含まれる複数の動作ユニットを動作させ、たとえば制御部１から送信される画像情報に基づいて、記録紙に画像を形成する処理をする。プリンタエンジン２は、プリンタエンジン基板２０、給紙ユニット２１、搬送ユニット２２、レーザスキャニングユニット（Laser Scanning Unit；略称：ＬＳＵ）２３、現像ユニット２４、転写ユニット２５、定着ユニット２６、排紙ユニット２７、ソレノイド２８およびセンサ２９、オプション給紙ユニット３０およびオプション排紙ユニット３１を含む。プリンタエンジン基板２０と、上記のプリンタエンジン基板２０、給紙ユニット２１、搬送ユニット２２、ＬＳＵ２３、現像ユニット２４、転写ユニット２５、定着ユニット２６、排紙ユニット２７、ソレノイド２８およびセンサ２９、オプション給紙ユニット３０およびオプション排紙ユニット３１とは、相互に接続されている。
【００２７】
プリンタエンジン基板２０は、ＣＰＵ４１、特定用途向け集積回路（Application
Specific Integrated Circuit；略称：ＡＳＩＣ）４２、モータドライバ４３、ＲＡＭ４４、ＲＯＭ４５、ＥＥＰＲＯＭ４６、通信用インターフェイス（以下、「通信用Ｉ／Ｆ」と表記する場合がある）４７およびユニット検出部４８を含む。ＣＰＵ４１は、プリンタエンジン２を構成する上記のＡＳＩＣ４２、モータドライバ４３、ＲＡＭ４４、ＲＯＭ４５、ＥＥＰＲＯＭ４６、通信用Ｉ／Ｆ４７およびユニット検出部４８を含むハードウェア資源を制御する。またＣＰＵ４１は、プリンタエンジンに付加されているモータを駆動させる指令をＡＳＩＣ４２およびモータドライバ４３に与える。ＡＳＩＣ４２は、プリンタエンジン２に付加されているモータを駆動させるための制御パルス信号を発生し、モータドライバ４３に供給する。モータドライバ４３は、ＣＰＵ４１から与えられるモータを駆動する指令およびＡＳＩＣ４２から供給される制御パルス信号に基づいて、プリンタエンジン２に付加されているモータを駆動させる。
【００２８】
ＲＡＭ４４には、たとえば後述するＬＳＵ２３によって形成される静電潜像が一時的に記憶される。ＲＯＭ４５には、プリンタエンジン２を制御するための制御プログラムが記憶される。またプリンタエンジン２に動作ユニットが付加されたとき、ＲＯＭ４５に、付加された動作ユニットを動作する動作プログラムが記憶される。ＥＥＰＲＯＭ４６には、プリンタエンジン２に付加されている動作ユニットの動作条件情報、たとえば動作ユニットに含まれるモータの速度を表す速度情報と、動作ユニットを識別する識別情報、たとえばモータ名とを関連付けた情報が記憶される。通信用Ｉ／Ｆ４７は、制御部１との接続部であり、制御部１とシリアル通信によって情報通信を行うために、制御部１に送信する情報に対して、制御部１で読取り可能な情報への変換処理を施す。ユニット検出部４８は、プリンタエンジン２に動作ユニットが付加されたことを検出し、動作ユニットが付加されたことを表す情報をＣＰＵ４１に与える。
【００２９】
給紙ユニット２１は、給紙カセットおよび給紙モータを含む。給紙カセットには、記録紙が積層して載置される。給紙モータが駆動することによって、給紙カセット２０に載置される記録紙２１が、上方から順次的に給紙され、搬送経路の所定の位置に搬送される。搬送ユニット２２は、記録紙の傾きを補正すると共に記録紙の先端を現像剤像と一致させるレジストローラを駆動するレジストモータを含む。ＬＳＵ２３は、所定の方向に回転可能な感光体ドラムの表面にレーザ光を照射して、スキャナ３から制御部１を介して送信される画像情報に基づく静電潜像を形成する。現像ユニット２４は、現像器およびドラムモータを含む。ドラムモータによって感光体ドラムを駆動し、現像器は、静電潜像にトナーなどの現像剤を吸着させることによって現像して可視化する。転写ユニット２５は、転写器およびベルトモータを含む。転写器は、感光体ドラムと記録紙の搬送経路を挟んで対向して配置され、ベルトモータの駆動によって搬送されてきた記録紙に現像剤を転写する。
【００３０】
定着ユニット２６は、定着器および定着モータを含む。定着モータによって定着器を駆動し、定着器は、転写器によって記録紙に転写された現像剤を熱および圧力によって定着する。熱によって現像剤を定着させる場合には定着ヒータが用いられ、圧力によって現像剤を定着させる場合には定着ローラが用いられる。排紙ユニット２７は、排紙トレイを含む。排紙トレイには、画像が形成された記録紙が、下方から順次的に積層して載置される。ソレノイド２８は、記録紙を供給して画像形成を行い、記録紙を排出する場合に、記録紙の供給および搬送と、記録紙の排出との２つの動作を切り換えるときに、駆動源の回転の伝達および切断を行う。センサ２９は、たとえば搬送経路の中途部に設けられ、搬送されてくる記録紙を検出する。オプション給紙ユニット３０は、大容量給紙カセットおよび他段給紙カセットを含む。大容量給紙カセットには、比較的大容量の記録紙が積層して載置される。他段給紙カセットは、複数の給紙カセットを含み、複数種類の寸法に応じた記録紙を載置する
オプション排紙ユニット３１は、後処理装置を含む。後処理装置は、定着ユニット２６によって画像が形成された複数の記録紙を、異なる排紙トレイに排紙するように仕分けするソート処理、画像が形成された複数の記録紙を綴じるステープラ（stapler）処理、ならびに記録紙にファイリング用の貫通孔を形成する処理などを行う。
【００３１】
スキャナエンジン３は、スキャナ駆動モータを駆動することによって、図示しない原稿台に載置された原稿を読取る処理を行う。スキャナエンジン３は、ＣＰＵ５１、ＡＳＩＣ５２、モータドライバ５３、スキャナ駆動モータ５４、ＲＡＭ５５、ＲＯＭ５６、ＥＥＰＲＯＭ５７、通信用インターフェイス５８、オプションユニット用インターフェイス（以下、「オプション用Ｉ／Ｆ」と表記する場合がある）５９およびユニット検出部６０を含む。ＣＰＵ５１は、スキャナエンジン３を構成する上記のＡＳＩＣ５２、モータドライバ５３、スキャナ駆動モータ５４、ＲＡＭ５５、ＲＯＭ５６、ＥＥＰＲＯＭ５７、通信用インターフェイス５８、オプション用Ｉ／Ｆ５９およびユニット検出部６０を含むハードウェア資源を制御する。またＣＰＵ５１は、スキャナエンジン３に付加されているスキャナ駆動モータを駆動させる指令をＡＳＩＣ５２およびモータドライバ５３に与える。ＡＳＩＣ５２は、スキャナエンジン３に付加されているスキャナ駆動モータを駆動させるための制御パルス信号を発生し、モータドライバ５３に供給する。モータドライバ５３は、ＣＰＵ５１から与えられるスキャナ駆動モータを駆動する指令およびＡＳＩＣ５２から供給される制御パルス信号に基づいて、スキャナエンジン３を駆動させるためのスキャナ駆動モータ５４を駆動させる。
【００３２】
ＲＡＭ５５には、スキャナエンジン３によって読取られた画像を表す画像情報が一時的に記憶される。ＲＯＭ５６には、スキャナエンジン３を制御するための制御プログラムが記憶される。またスキャナエンジン３に動作ユニットが付加されたとき、ＲＯＭ５６に、付加された動作ユニットを動作する動作プログラムが記憶される。ＥＥＰＲＯＭ５７には、スキャナエンジン３に付加されている動作ユニットの動作条件情報、たとえば動作ユニットに含まれるモータの速度を表す速度情報と、動作ユニットを識別する識別情報、たとえばモータ名とを関連付けた情報が記憶される。通信用インターフェイス５８は、制御部１との接続部であり、制御部１とシリアル通信によって情報通信を行うために、制御部１に送信する情報に対して、制御部１で読取り可能な情報への変換処理を施す。オプション用Ｉ／Ｆ５９は、第１オプションユニット５との接続部であり、第１オプションユニット５と情報通信を行うために、第１オプションユニット５に送信する情報に対して、第１オプションユニット５で読取り可能な情報への変換処理を施す。第１オプションユニット５は、スキャナエンジン３と相互に接続され、たとえば原稿自動送り装置によって実現される。第２オプションユニット６は、制御部１と相互に接続され、たとえばファクシミリ用通信ボードによって実現される。
【００３３】
本実施の形態において、識別情報記憶手段はＥＥＰＲＯＭ１４によって構成され、動作条件入力手段はパネルユニット４のカーソルキーおよび数値キーによって構成される。本実施の形態において動作装置がプリンタエンジン２の場合、設定情報送信手段、識別情報要求送信手段および識別情報受信手段は、ＣＰＵ１１およびプリンタ用Ｉ／Ｆ１５によって構成される。また検出手段は、ＣＰＵ４１およびユニット検出部４８によって構成され、付加ユニット情報送信手段および設定情報受信手段はＣＰＵ４１および通信用Ｉ／Ｆ４７によって構成される。動作装置がスキャナエンジン３の場合、設定情報送信手段、識別情報要求送信手段および識別情報受信手段は、ＣＰＵ１１およびスキャナ用Ｉ／Ｆ１６によって構成される。また検出手段は、ＣＰＵ５１およびユニット検出部６０によって構成され、付加ユニット情報送信手段および設定情報受信手段はＣＰＵ５１および通信用Ｉ／Ｆ５８によって構成される。また本実施の形態において設定指令入力手段は、パネルユニット４の実行キーによって構成される。
【００３４】
図３は、プリンタエンジン基板２０に付加されたオプション給紙ユニット３１の検出を説明するための図である。プリンタエンジン基板２０に動作ユニット、たとえばオプション給紙ユニット３１が付加されていないとき、プリンタエンジン基板２０とオプション給紙ユニット３１との接続部６１の端子電圧はグランド電圧であるが、プリンタエンジン基板２０にオプション給紙ユニット３１が付加されたとき、プリンタエンジン２の電源から前記接続部６０の端子に電源電圧ＶＣＣが供給されるので、前記接続部６１の端子電圧は電源電圧ＶＣＣである。このようにプリンタエンジン基板２０に、たとえばオプション給紙ユニット３１が新たに付加された場合は、前記接続部６１の端子電圧がグランド電圧から電源電圧に変化する。本実施の形態ではユニット検出部４８が、前述した接続部６０における端子電圧の変化を検出し、その検出情報をＣＰＵ４１に与える。ＣＰＵ４１は、ユニット検出部４８から与えられる検出情報に基づいて、プリンタエンジン基板２０に新たに動作ユニットが付加されているか否かを判断する。
【００３５】
ＣＰＵ４１は、プリンタエンジン基板２０に新たな動作ユニットが付加されていると判断した場合、プリンタエンジン基板２０に動作ユニット、たとえばオプション給紙ユニット３１が付加されていることを示す情報（以下、「付加ユニット情報」と表記する場合がある）を、通信用Ｉ／Ｆ４７を介してシリアル通信によって制御部１に送信する。ここではプリンタエンジン基板２０に付加された動作ユニットの検出について説明したが、スキャナエンジン３に付加された動作ユニットの検出も前述のプリンタエンジン基板２０に付加された動作ユニットの検出と同様に、ユニット検出部６０によってスキャナエンジン３と動作ユニットとの接続部の端子電圧の変化が検出され、ＣＰＵ５１によって、スキャナエンジン３に新たに動作ユニットが付加されているか否かが判断される。
【００３６】
図４は、制御部１とプリンタエンジン２との間のシーケンスを示す図である。ここでは動作装置としてプリンタエンジン２を想定する。操作者によって実行キーが操作されて動作ユニットの動作条件を設定する指令が入力され、動作変更プログラム、具体的にはモータの速度を表す速度情報の変更を行うプログラムが実行され、制御部１が、プリンタエンジン２から受信した付加ユニット情報によって、プリンタエンジン２に新たな動作ユニットが付加されたことを認識したとき、プリンタエンジン２に付加された前記動作ユニットを識別する識別情報、たとえばモータ名を表すモータ名情報の送信要求をプリンタエンジン２に送信する。プリンタエンジン２は、制御部１から送信される前記識別情報の送信要求を受信し、前記識別情報、たとえばモータ名情報を制御部１に送信する。制御部１は、プリンタエンジン２から送信される識別情報であるモータ名情報を受信し、受信したモータ名情報をＥＥＰＲＯＭ１４に記憶させる。制御部１は、プリンタエンジン２に付加された前記動作ユニットの動作条件を表す情報（以下、「動作条件情報」と表記する場合がある）、たとえば動作ユニットに含まれるモータの現在の速度を表す速度情報の送信要求を、プリンタエンジン２に送信する。プリンタエンジン２は、制御部１から送信される前記動作条件情報の送信要求を受信し、前記動作条件情報、たとえば速度情報を制御部１に送信する。制御部１は、プリンタエンジン２から送信される動作条件情報である速度情報を受信し、受信した速度情報をＥＥＰＲＯＭ１４に記憶する。
【００３７】
次に制御部１は、操作者によって実行キーが操作されて動作ユニットの動作条件を設定する指令が入力されると、ＲＯＭ１３に記憶される動作変更プログラムを実行し、プリンタエンジン２から受信した識別情報であるモータ名情報および動作条件情報である速度情報を含む情報をパネルユニット４のＬＣＤに表示する。制御部１は、操作者によって新たな動作条件情報、具体的には新たな速度情報が入力されたと認識した場合、ＥＥＰＲＯＭ１４に記憶される速度情報を更新するとともに、更新された動作条件情報である速度情報と、この速度情報に関する識別情報であるモータ名情報とを関連付けた情報（以下、「設定情報」と表記する場合がある）をプリンタエンジン２に送信する。プリンタエンジン２は、制御部１から送信される設定情報を受信し、受信した設定情報に基づいて、ＥＥＰＲＯＭ４６に記憶される速度情報を更新する。
【００３８】
図５は、動作ユニットの動作条件情報の変更処理に関する制御部１の処理手順の一例を示すフローチャートである。ステップａ０では、操作者によって実行キーが操作されて動作ユニットの動作条件を設定する指令が入力され、動作変更プログラム、具体的にはモータの速度を表す速度情報の変更を行うプログラムが実行されて、制御部１が、プリンタエンジン２から受信した付加ユニット情報に基づいて、プリンタエンジン２に新たな動作ユニットが付加されたことを認識したときに、動作ユニットの動作条件情報の変更処理に関する処理手順を開始して、ステップａ１に進む。
【００３９】
ステップａ１では、プリンタエンジン２に付加されている動作ユニットを識別する識別情報、具体的にはモータ名を表すモータ名情報の送信要求をプリンタエンジン２に送信する。ステップａ２では、プリンタエンジン２から送信される識別情報であるモータ名情報を受信する。ステップａ３では、プリンタエンジン２に付加されている動作ユニットに含まれるモータの動作条件を表す動作条件情報、具体的にはモータの現在設定されている速度を表す速度情報の送信要求をプリンタエンジン２に送信する。
【００４０】
ステップａ４では、プリンタエンジン２から送信される動作条件情報、具体的にはモータの現在設定されている速度を表す速度情報を受信する。ステップａ５では、受信した識別情報であるモータ名情報および動作条件情報である速度情報を含む情報をＬＣＤに表示する。ステップａ６では、操作者によって新たな動作条件情報、具体的には新たな速度情報が入力されたか否かを判断し、新たな速度情報が入力された場合はステップａ７に進み、新たな速度情報が入力されなければステップａ８に進む。
【００４１】
ステップａ７では、操作者によって入力された新たな動作条件情報、具体的には速度情報と、この速度情報に関する識別情報であるモータ名情報とを関連付けた設定情報をプリンタエンジン２に送信し、ステップａ８に進む。ステップａ８では、すべての処理手順を終了する。プリンタエンジン２では、制御部１から送信される設定情報を受信し、受信した設定情報に基づいて動作ユニットを動作させ、プリンタエンジン２の動作、具体的には記録紙への画像の形成動作を行う。動作ユニットの動作条件情報の変更処理を、前述の図５に示すフローチャートに従って一度行った場合、二度目以降の動作ユニットの動作条件情報の変更処理は、後述する図６に示すフローチャートに従って行う。
【００４２】
図６は、動作ユニットの動作条件情報の変更処理に関する制御部１の処理手順の一例を示すフローチャートである。ステップｂ０では、操作者によって実行キーが操作されて動作ユニットの動作条件を設定する指令が入力され、動作変更プログラム、具体的にはモータの速度を表す速度情報の変更を行うプログラムが実行されたときに、動作ユニットの動作条件情報の変更処理に関する処理手順を開始して、ステップｂ１に進む。
【００４３】
ステップｂ１では、プリンタエンジン２に新たな動作ユニットが付加されているか否かを判断し、新たな動作ユニットが付加されている場合はステップｂ２に進み、新たな動作ユニットが付加されていない場合はステップｂ４に進む。ステップｂ２では、新たに付加されている動作ユニットの識別情報であるモータ名情報の送信要求をプリンタエンジン２に送信する。ステップｂ３では、プリンタエンジン２から送信される前記新たに付加されている動作ユニットのモータ名情報を受信する。ステップｂ４〜ステップｂ９の処理は、図５のフローチャートに示すステップａ３〜ステップａ８と同様の処理であるので、ステップｂ４〜ステップｂ９の処理の詳細な説明は省略する。
【００４４】
図７は、動作ユニットの動作条件情報の設定変更操作を行うときの操作画面の表示例を示す図である。制御部１は、プリンタエンジン２から送信される識別情報であるモータ名情報および動作条件情報である速度情報を受信すると、図７に示すように、ＬＣＤの速度情報表示領域７１に速度情報を表示し、ＬＣＤのモータ名情報表示領域７２にモータ名情報を表示し、ＬＣＤの選択速度情報表示領域７３に、操作者によってカーソルキーが操作されて選択された速度情報を表示する。さらにＬＣＤの設定範囲表示領域７４に、速度情報の設定可能な数値の範囲を表示する。モータ名情報としては、たとえば白黒画像を記録紙に形成する場合のレジストモータ「ＲＲＭ（ＢＷ）」、カラー画像を記録紙に形成する場合のレジストモータ「ＲＲＭ（ＣＬ）」、ベルトモータ「ＢＴＭ」および定着モータ「ＦＳＭ」である。操作者は、タッチパネル４のカーソルキーを操作することによって速度情報領域７１に表示されるカーソルを移動させて、設定変更を行う速度情報を選択し、確認キーを操作することによって設定変更操作を行う速度情報を決定する。そして操作者は、設定範囲表示領域７４に表示される設定可能な数値範囲を参照して数値キーを用いて前記速度情報を入力し、確認キーを操作することによって速度情報の設定変更操作を行う。
【００４５】
図８は、動作ユニットの動作条件情報の設定変更操作を行うときの操作画面の表示例を示す図である。図８（１）は、白黒画像を記録紙に形成する場合のレジストモータが選択されたときの操作画面の表示例であり、図８（２）は、白黒画像を記録紙に形成する場合のレジストモータの速度情報が設定変更されたときの操作画面の表示例である。操作者によって、設定変更を行う速度情報として、白黒画像を記録紙に形成する場合のレジストモータが選択されると、図８（１）に示すように、選択速度情報表示領域７３に、操作者によって選択された前記レジストモータの速度情報、たとえば数値「５０」が表示され、設定範囲表示領域７４に、前記レジストモータの速度情報の設定可能な数値の範囲、たとえば数値範囲「１〜９９」が表示される。この状態で操作者によって確認キーが操作され、数値キーが操作されて新たな速度情報、たとえば数値「５５」が入力されると、図８（２）に示すように、選択速度情報表示領域７３に、操作者によって選択された前記レジストモータの速度情報、たとえば数値「５５」が表示される。この状態で操作者によって確認キーが操作されると、白黒画像を記録紙に形成する場合のレジストモータの速度情報が、数値「５０」から数値「５５」に更新される。
【００４６】
前述のように本実施の形態によれば、制御部１からプリンタ用Ｉ／Ｆ１５を介して、識別情報であるモータ名情報の送信要求がプリンタエンジン２に送信され、プリンタ用Ｉ／Ｆ１５を介して、プリンタエンジン２から送信されるモータ名情報が受信される。また、制御部１からプリンタ用Ｉ／Ｆ１５を介して、識別情報であるモータ名情報と、動作条件情報、たとえばモータの速度を表す速度情報とを関連付けた設定情報がプリンタエンジン２に送信される。
【００４７】
したがってプリンタエンジン２に新たな動作ユニットが付加される場合でも、動作ユニットの動作条件を設定操作する操作者（以下、単に「操作者」と表記する場合がある）は、従来技術のように新たな動作ユニットの識別情報を制御部１のＥＥＰＲＯＭ１４に記憶させる作業をする必要がない。これによって操作者は、プリンタエンジン２から受信した識別情報に基づいて、新たな動作ユニットの動作条件を容易かつ迅速に設定することができる。したがってプリンタエンジン２に新たな動作ユニットが付加される場合でも、新たに付加された動作ユニットは制御部１から送信される設定情報に基づいて動作させ、プリンタエンジン２による所定の動作、具体的には記録紙への画像の形成動作を比較的速やかに実行させることができ、プリンタエンジン２の利用者に対する利便性を向上することができる。
【００４８】
また本実施の形態によれば、パネルユニット４の実行キーが操作され、動作ユニットの動作条件、たとえばモータの速度を設定する指令が制御部１に入力されたとき、制御部１からプリンタ用Ｉ／Ｆ１５を介して、識別情報であるモータ名情報の送信要求がプリンタエンジン２に送信される。そして制御部１は、プリンタ用Ｉ／Ｆ１５を介して、プリンタエンジン２から送信されるモータ名情報を受信する。さらに、制御部１からプリンタ用Ｉ／Ｆ１５を介して、識別情報であるモータ名情報と、動作条件情報、たとえばモータの速度を表す速度情報とを関連付けた設定情報が、プリンタエンジン２に送信される。
【００４９】
このようにパネルユニット４の実行キーが操作され、動作ユニットの動作条件を設定する指令が制御部１に入力されたとき、換言すれば操作者が動作ユニットの動作条件を設定するときにだけ、制御部１およびプリンタエンジン２間で通信動作をするので、動作ユニットの動作条件を設定する指令が制御部１に入力されていない場合に、制御部１およびプリンタエンジン２間で不要な通信動作をすることを防ぐことができる。これによって動作ユニットの動作条件を設定する指令が入力されていない場合の制御部１およびプリンタエンジン２間における通信動作によって生じる制御部１およびプリンタエンジン２の電力の消費を抑制することができる。
【００５０】
また本実施の形態によれば、ユニット検出部４８によってプリンタエンジン２に新たな動作ユニット、たとえばオプション給紙ユニット３０が付加されたことが検出され、ＣＰＵ４１によってプリンタエンジン２に新たにオプション給紙ユニット３０が付加されたと判断された場合、プリンタエンジン２は通信用Ｉ／Ｆ４７を介して、プリンタエンジン２に新たにオプション給紙ユニット３０が付加されたことを表す付加ユニット情報を、制御部１に送信する。プリンタエンジン２は通信用Ｉ／Ｆ４７を介して、制御部１から送信される設定情報を受信する。
【００５１】
前述のようにプリンタエンジン２は、制御部１に付加ユニット情報を送信し、通信用Ｉ／Ｆ４７を介して、制御部１から送信される設定情報を受信するので、プリンタエンジン２に新たなオプション給紙ユニット３０が付加される場合でも、受信した設定情報に基づいてプリンタエンジン２の動作、具体的には記録紙への画像の形成動作を比較的速やかに実行させることができ、プリンタエンジン２の利用者に対する利便性を向上することができる。
【００５２】
また本実施の形態では、動作装置としてプリンタエンジン２を適用した場合について説明したが、動作装置としてスキャナエンジン３を適用した場合でも、同様に好適に実施することができ、動作装置としてプリンタエンジン２を適用した場合と同様の効果を得ることができる。
【００５３】
前述の設定装置に相当する制御部１は、コンピュータに前述の動作条件情報の設定変更処理を機能させるための設定プログラムで実現される。この設定プログラムは、コンピュータ読取り可能な記録媒体に記録され、コンピュータに実行させるようなものでもよい。これによって、設定プログラムを記録した記録媒体を持ち運び自在に提供することができる。前記設定プログラムを記録したコンピュータ読取り可能な記録媒体としては、コンピュータで処理を行うための図示しないメモリ、たとえばＲＯＭのようなプログラムメディアであってもよい。また、外部記憶装置として設けられたプログラム読取り装置に挿入することで、読取られるプログラムメディアであってもよい。いずれの場合においても、格納されているプログラムはマイクロプロセッサがアクセスして実行させる構成であってもよいし、あるいは、いずれの場合もプログラムを読み出し、読み出されたプログラムは、コンピュータのプログラム記憶エリアにダウンロードされて、そのプログラムが実行される方式であってもよい。このダウンロード用のプログラムは予め本体装置に格納されているものとする。
【００５４】
ここで、前述のプログラムメディアは、本体と分離可能に構成される記録媒体であり、磁気テープおよびカセットテープによって固定的にプログラムを担持する媒体であってもよい。また、フレキシブルディスクおよびハードディスクなどの磁気ディスク、ならびにコンパクトディスクＲＯＭ（Compact Disk Read Only Memory；略称：ＣＤ−ＲＯＭ）、光磁気（Magneto Optical；略称：ＭＯ）ディスク、ミニディスク（Mini Disk；略称：ＭＤ）およびディジタルバーサタイルディスク（Digital Versatile Disk；略称：ＤＶＤ）などの光ディスクを記録媒体として用いてもよい。また、集積回路（Integrated
Circuits；略称：ＩＣ）カード（メモリカードを含む）および光カードなどを記録媒体として用いてもよい。さらに、マスクＲＯＭ、イーピーＲＯＭ（Erasable Programmable Read Only Memory；略称ＥＰＲＯＭ）、ＥＥＰＲＯＭおよびフラッシュＲＯＭなどの半導体メモリを記録媒体として用いてもよい。
【００５５】
また、本実施の形態においては、通信ネットワークから設定プログラムをダウンロードするように流動的にプログラムを担持する媒体であってもよい。なお、このように通信ネットワークから設定プログラムをダウンロードする場合には、そのダウンロード用のプログラムを予め本体装置に格納しておくか、あるいは、別の記録媒体からインストールされるものであってもよい。前述の記録媒体は、設定装置およびコンピュータシステムに備えられるプログラム読取り装置により読取られることによって、設定装置として機能させることができる。
【００５６】
前述の実施の形態は、本発明の例示に過ぎず、本発明の範囲内において発明の構成を変更してもよい。たとえば前述の実施の形態では、図６のフローチャートに示すように、プリンタエンジン２に新たな動作ユニットが付加されている場合、および新たな動作ユニットが付加されていない場合のいずれの場合も、ステップｂ４において、プリンタエンジン２に備えられる動作ユニットに含まれるモータの動作条件を表す動作条件情報、具体的には現在設定されているモータの速度情報の送信要求を、プリンタエンジン２に送信するように構成されているが、本発明の他の実施の形態ではこのような構成に限らない。
【００５７】
たとえば本発明の他の実施の形態では、プリンタエンジン２に新たな動作ユニットが付加されている場合、新たな動作ユニットの動作条件情報の設定変更を行う確率が高いので、新たな動作ユニットの動作条件情報のみの送信要求を優先して行い、この動作条件情報をプリンタエンジン２から受信して設定変更できるように構成されてもよい。これによって操作者は、設定変更を行う確率が高い動作条件情報を即座に設定変更することができる。また動作変更プログラムの第２回目以降の実行時に、プリンタエンジン２に現在付加されている動作ユニットの動作条件情報を設定変更する場合、図６のフローチャートに示すステップｂ１で、新たな動作ユニットが付加されていないと判断された場合、ステップｂ６に進み、既に制御部１に記憶されている識別情報および動作条件情報をパネルユニット４のＬＣＤに表示するように構成されてもよい。これによって制御部１が、プリンタエンジン２からの動作条件情報の受信に要する時間を省くことができるので、さらに迅速に動作ユニットの動作条件を設定変更することができる。
【００５８】
また前述の実施の形態では、モータの速度を表す速度情報を設定変更する場合について述べたが、本発明の他の実施の形態において、たとえば定着ユニット２６の定着ヒータの温度を設定変更する場合、クラッチの動作のタイミングを設定変更する場合、給紙ローラの回転開始のタイミングを設定変更する場合、各給紙トレイ毎の給紙のタイミングを設定変更する場合、各給紙トレイ毎の画像の中心位置を設定変更する場合でも、前述の実施の形態と同様に好適に実施することができる。
【００５９】
また前述の実施の形態では、設定装置および動作装置を有する複合機１０に本発明を適用した場合について説明したが、複合機１０に限らず、本発明の他の実施の形態では動作装置に新たな動作ユニットが付加された場合、設定装置が動作装置から識別情報および現在の動作条件情報を送信要求し、設定装置が動作装置に設定情報を送信するように構成される電子装置であれば、同様に実施することができる。
【図面の簡単な説明】
【００６０】
【図１】本発明の実施の一形態である制御部１、プリンタエンジン２およびスキャナエンジン３を含む複合機１０の構成を簡略化して示すブロック図である。
【図２】制御部１、プリンタエンジン２およびスキャナエンジン３の構成を示すブロック図である。
【図３】プリンタエンジン基板２０に付加されたオプション給紙ユニット３１の検出を説明するための図である。
【図４】制御部１とプリンタエンジン２との間のシーケンスを示す図である。
【図５】動作ユニットの動作条件情報の変更処理に関する制御部１の処理手順の一例を示すフローチャートである。
【図６】動作ユニットの動作条件情報の変更処理に関する制御部１の処理手順の一例を示すフローチャートである。
【図７】動作ユニットの動作条件情報の設定変更操作を行うときの操作画面の表示例を示す図である。
【図８】動作ユニットの動作条件情報の設定変更操作を行うときの操作画面の表示例を示す図である。
【符号の説明】
【００６１】
１  制御部
２  プリンタエンジン
３  スキャナエンジン
４  パネルユニット
５  第１オプションユニット
６  第２オプションユニット
１０  複合機
１１，４１，５１  ＣＰＵ（Central Processing Unit）
１２，４４，５５  ＲＡＭ（Random Access Memory）
１３，４５，５６  ＲＯＭ（Read Only Memory）
１４，４６，５７  ＥＥＰＲＯＭ（Electronically Erasable and Programmable Read Only Memory）
１５  プリンタエンジン用インターフェイス
１６  スキャナエンジン用インターフェイス
１７  パネルユニット用インターフェイス
２０  プリンタエンジン基板
２１  給紙ユニット
２２  搬送ユニット
２３  ＬＳＵ(Laser Scanning Unit)
２４  現像ユニット
２５  転写ユニット
２６  定着ユニット
２７  排紙ユニット
２８  ソレノイド
２９  センサ
３０  オプション給紙ユニット
３１  オプション排紙ユニット
４２，５２  ＡＳＩＣ（Application Specific Integrated Circuit）
４３，５３  モータドライバ
４７，５８  通信用インターフェイス
５４  スキャナ駆動ドライバ
【図１】
2006113361.tif 000003
【図２】
2006113361.tif 000004
【図３】
2006113361.tif 000005
【図４】
2006113361.tif 000006
【図５】
2006113361.tif 000007
【図６】
2006113361.tif 000008
【図７】
2006113361.tif 000009
【図８】
2006113361.tif 000010